【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
廃棄すべき被細断物を細断機構にて細断し、屑収容体に細断屑を収容するシュレッダと、予め決められた管理拠点に設けられ、前記シュレッダの細断機構による累積細断量を管理する管理装置と、を備え、
前記シュレッダは、前記管理装置による管理対象として特定するための対象情報を認識する対象認識手段と、
前記屑収容体に収容される細断屑の屑量情報を認識する屑量認識手段と、
前記管理拠点に対して前記対象情報及び前記屑量情報を通信可能とする通信手段と、を有し、
前記管理装置は、前記シュレッダとの間で通信可能とする通信手段と、
前記シュレッダから送信された対象情報及び屑量情報に基づいて当該シュレッダの細断機構による細断量情報を収集する収集手段と、
前記収集手段にて収集された細断量情報に基づいて前記細断機構による累積細断量を演算する演算手段と、
前記演算手段にて演算された前記累積細断量に基づいて前記シュレッダの使用費用としての課金額を決定する課金決定手段と、を有することを特徴とするシュレッダ管理システム。
【請求項２】
請求項１に記載のシュレッダ管理システムにおいて、
前記屑量認識手段は、前記シュレッダの屑収容体に収容された屑量を連続的に検出する検出器を含むことを特徴とするシュレッダ管理システム。
【請求項３】
請求項２に記載のシュレッダ管理システムにおいて、
前記検出器は、前記屑収容体に収容される屑量を光学的に検出するものであり、屑収容体に収容された屑の満杯予定位置よりも上方に設置され、屑の表面部に対して光を照射すると共に、屑の表面部からの反射光の出力レベルにて屑量を検出するものであることを特徴とするシュレッダ管理システム。
【請求項４】
請求項２に記載のシュレッダ管理システムにおいて、
前記検出器は前記細断屑が収容された屑収容体の重量を検出するものであることを特徴とするシュレッダ管理システム。
【請求項５】
請求項１に記載のシュレッダ管理システムにおいて、
前記屑量認識手段は前記細断機構の運転状況を更新可能に認識する運転状況認識手段にて構成されていることを特徴とするシュレッダ管理システム。
【請求項６】
請求項５に記載のシュレッダ管理システムにおいて、
前記運転状況認識手段は、前記細断機構による累積細断時間及び前記細断機構の駆動負荷とを計測し、前記屑収容体に収容される細断屑の屑量情報に相当する情報として認識することを特徴とするシュレッダ管理システム。
【請求項７】
請求項１に記載のシュレッダ管理システムにおいて、
前記シュレッダは、前記細断機構及び前記屑収容体が内部に設置されるシュレッダ筐体を備え、前記シュレッダ筐体には前記被細断物が投入される投入口及び投入口に投入された被細断物を細断機構に搬入する搬入経路を有しており、
前記屑量認識手段は、前記搬入経路の途中に設けられ、搬入される被細断物の厚さ及びサイズのうち少なくとも厚さが検出可能な検出器を含み、当該検出器の検出情報に基づいて前記細断機構に投入される被細断物の枚数情報を算出して細断機構による細断量情報を認識することを特徴とするシュレッダ管理システム。
【請求項８】
請求項１に記載のシュレッダ管理システムにおいて、
前記シュレッダは、前記細断機構及び前記屑収容体が内部に設置されるシュレッダ筐体を備え、前記シュレッダ筐体には前記被細断物が投入される投入口及び投入口に投入された被細断物が細断機構に搬入可能な搬入経路を有すると共に、前記シュレッダ筐体の前記投入口に至る領域若しくは前記搬入経路の途中に、前記被細断物の投入量が規制される規制部材を設けたものであり、
前記屑量認識手段は、前記規制部材で規制された枚数の被細断物の投入回数を計測して細断機構による細断量情報を認識することを特徴とするシュレッダ管理システム。
【請求項９】
請求項１に記載のシュレッダ管理システムにおいて、
前記管理装置は、前記課金決定手段にて課金額が決定された後、前記演算手段にて演算された累積細断量をリセットした後、前記演算手段による演算処理を再開することを特徴とするシュレッダ管理システム。
【請求項１０】
請求項１に記載のシュレッダ管理システムにおいて、
前記管理装置は、前記課金決定手段にて課金額が決定された後、前記シュレッダのユーザに対して決定された課金額を通知する通知手段を有することを特徴とするシュレッダ管理システム。
【請求項１１】
請求項１に記載のシュレッダ管理システムにおいて、
前記管理装置は、管理対象である前記シュレッダに対し前記収集手段による細断量情報の収集処理を定期的又は不定期的に実施することを特徴とするシュレッダ管理システム。
【手続補正２】
【補正対象書類名】明細書
【補正対象項目名】０００６
【補正方法】変更
【補正の内容】
【０００６】
本発明の第２の技術的特徴は、第１の技術的特徴を備えたシュレッダ管理システムにおいて、前記屑量認識手段は、前記シュレッダの屑収容体に収容された屑量を連続的に検出する検出器を含むことを特徴とするシュレッダ管理システムである。
本発明の第３の技術的特徴は、第２の技術的特徴を備えたシュレッダ管理システムにおいて、前記検出器は、前記屑収容体に収容される屑量を光学的に検出するものであり、屑収容体に収容された屑の満杯予定位置よりも上方に設置され、屑の表面部に対して光を照射すると共に、屑の表面部からの反射光の出力レベルにて屑量を検出するものであることを特徴とするシュレッダ管理システムである。
本発明の第４の技術的特徴は、第２の技術的特徴を備えたシュレッダ管理システムにおいて、前記検出器は前記細断屑が収容された屑収容体の重量を検出するものであることを特徴とするシュレッダ管理システムである。
本発明の第５の技術的特徴は、第１の技術的特徴を備えたシュレッダ管理システムにおいて、前記屑量認識手段は前記細断機構の運転状況を更新可能に認識する運転状況認識手段にて構成されていることを特徴とするシュレッダ管理システムである。
本発明の第６の技術的特徴は、第５の技術的特徴を備えたシュレッダ管理システムにおいて、前記運転状況認識手段は、前記細断機構による累積細断時間及び前記細断機構の駆動負荷とを計測し、前記屑収容体に収容される細断屑の屑量情報に相当する情報として認識することを特徴とするシュレッダ管理システムである。
本発明の第７の技術的特徴は、第１の技術的特徴を備えたシュレッダ管理システムにおいて、前記シュレッダは、前記細断機構及び前記屑収容体が内部に設置されるシュレッダ筐体を備え、前記シュレッダ筐体には前記被細断物が投入される投入口及び投入口に投入された被細断物を細断機構に搬入する搬入経路を有しており、前記屑量認識手段は、前記搬入経路の途中に設けられ、搬入される被細断物の厚さ及びサイズのうち少なくとも厚さが検出可能な検出器を含み、当該検出器の検出情報に基づいて前記細断機構に投入される被細断物の枚数情報を算出して細断機構による細断量情報を認識することを特徴とするシュレッダ管理システムである。
本発明の第８の技術的特徴は、第１の技術的特徴を備えたシュレッダ管理システムにおいて、前記シュレッダは、前記細断機構及び前記屑収容体が内部に設置されるシュレッダ筐体を備え、前記シュレッダ筐体には前記被細断物が投入される投入口及び投入口に投入された被細断物が細断機構に搬入可能な搬入経路を有すると共に、前記シュレッダ筐体の前記投入口に至る領域若しくは前記搬入経路の途中に、前記被細断物の投入量が規制される規制部材を設けたものであり、前記屑量認識手段は、前記規制部材で規制された枚数の被細断物の投入回数を計測して細断機構による細断量情報を認識することを特徴とするシュレッダ管理システムである。
本発明の第９の技術的特徴は、第１の技術的特徴を備えたシュレッダ管理システムにおいて、前記管理装置は、前記課金決定手段にて課金額が決定された後、前記演算手段にて演算された累積細断量をリセットした後、前記演算手段による演算処理を再開することを特徴とするシュレッダ管理システムである。
本発明の第１０の技術的特徴は、第１の技術的特徴を備えたシュレッダ管理システムにおいて、前記管理装置は、前記課金決定手段にて課金額が決定された後、前記シュレッダのユーザに対して決定された課金額を通知する通知手段を有することを特徴とするシュレッダ管理システムである。
本発明の第１１の技術的特徴は、第１の技術的特徴を備えたシュレッダ管理システムにおいて、前記管理装置は、管理対象である前記シュレッダに対し前記収集手段による細断量情報の収集処理を定期的又は不定期的に実施することを特徴とするシュレッダ管理システムである。